(57)【要約】【課題】餌を安定した状態で取り付けることができ、釣果の向上に資する釣り具を提供する。【解決手段】  ハリスと接続するための環１５が設けられるヘッド部材である錘１０と、錘１０から後方へ延び出した釣り針１１と、釣り針１１の軸に、釣り針１１の針先の曲がる方向と反対方向を向き、餌の胴体へ突き刺すエサ止め１２と、錘１０の後側面に、餌の頭部の全体または一部を収容可能な深さに刳り込んだ凹部１３と、凹部１３内に餌の頭部へ突き刺す頭部エサ止め１４とを備える。【選択図】図１
0003212698.tif 000002
【実用新案登録請求の範囲】
【請求項１】
ハリスと接続されるヘッド部材と、
前記ヘッド部材から後方へ延び出した釣り針と、
前記釣り針の軸に、餌の胴体へ突き刺すエサ止めと、
前記ヘッド部材の後側面に、餌の頭部へ突き刺す頭部エサ止めとを備える
ことを特徴とする釣り具。
【請求項２】
前記ヘッド部材の後側面に、餌の頭部の全体または一部を収容可能な深さに刳り込んだ凹部を備える
ことを特徴とする請求項１記載の釣り具。
【請求項３】
前記頭部エサ止めは、複数本の止め針で構成され、
止め針が互いに前記ヘッド部材の中心線に向かうように配置されている
ことを特徴とする請求項１又は２に記載の釣り具。
【請求項４】
前記頭部エサ止めは、複数本の長さが異なる止め針で構成されている
ことを特徴とする請求項１〜３のいずれか１項に記載の釣り具。 
【考案の詳細な説明】
【技術分野】
【０００１】
本考案は、太刀魚釣りに用いられるテンヤ等の釣り具に関する。
【背景技術】
【０００２】
太刀魚釣りでは、錘と釣り針とを一体化したテンヤが使用されることがある。図７は従来の太刀魚テンヤの構成を示す図である。太刀魚テンヤ１００は、錘１１０と釣り針１１１とが一体化されており、錘１１０にはハリスを接続するための環１１５が設けられている。また、釣り針１１１には、餌を固定するためのエサ止め１１２が設けられている。エサ止め１１２は、１本のみのこともあれば、２本ないし３本と並べて設けられることもある。このエサ止め１１２の上から餌を押し刺してワイヤー線等で巻いて餌を固定して釣りに用いられる。太刀魚テンヤに関しては、釣果の向上等を追求して種々の提案がなされている（例えば、特許文献１参照。）。
【先行技術文献】
【特許文献】
【０００３】
【特許文献１】特開２０１５−１９２６０７号公報
【考案の概要】
【考案が解決しようとする課題】
【０００４】
しかしながら、上記従来の太刀魚テンヤでは、餌の固定が不十分であり、釣果に悪影響を及ぼすという問題がある。図８に示すように、従来の太刀魚テンヤに取り付けられた餌２は、頭部が不安定な状態になっていて左右へ動くため、水流によって餌２の姿勢とバランスとが悪くなるからである。
【０００５】
そこで、本考案は、このような問題に鑑みなされたものであり、餌を安定した状態で取り付けることができ、釣果の向上に資する釣り具を提供することを目的とする。
【課題を解決するための手段】
【０００６】
上記課題を解決するために、本考案に係る釣り具は、ハリスと接続されるヘッド部材と、前記ヘッド部材から後方へ延び出した釣り針と、前記釣り針の軸に、餌の胴体へ突き刺すエサ止めと、前記ヘッド部材の後側面に、餌の頭部へ突き刺す頭部エサ止めとを備えることを特徴とする。
【０００７】
これによれば、餌の胴体に突き刺すエサ止めよりも前方で頭部エサ止めが餌の頭部を固定するので、取り付けられた餌を水中で安定した状態に保つことができ、釣果の向上に資する釣り具が実現される。
【０００８】
ここで、前記ヘッド部材の後側面に、餌の頭部の全体または一部を収容可能な深さに刳り込んだ凹部を備えるのが好ましい。
【０００９】
これによれば、凹部が餌の頭部の左右への動きを規制するので、より安定した状態を維持することが可能となる。
【００１０】
また、前記頭部エサ止めは、複数本の止め針で構成され、止め針が互いに前記ヘッド部材の中心線に向かうように配置されているとしてもよく、前記頭部エサ止めは、複数本の長さが異なる止め針で構成されているとしてもよい。
【００１１】
これによれば、複数本の止め針で餌の頭部を固定するので、餌の頭部を確実に固定することができる。
【考案の効果】
【００１２】
以上のように、本考案に係る釣り具によれば、餌の胴体に突き刺すエサ止めの前方でヘッド部材の後側面に設けられた頭部エサ止めにより餌の頭部を固定するので、取り付けられた餌の姿勢とバランスとを良好に保ち、餌を水中で安定した状態に保持することができるので、釣果の向上を図ることができる。
【図面の簡単な説明】
【００１３】
【図１】本考案の実施形態の太刀魚テンヤの構成を示す図である。
【図２】太刀魚テンヤへの餌の取り付けを説明するための図である。
【図３】太刀魚テンヤに餌を取り付けた状態を示す図である。
【図４】太刀魚テンヤに餌を取り付けた状態を示す平面図である。
【図５】太刀魚テンヤの別の構成を示す図である。
【図６】太刀魚テンヤの別の構成を示す図である。
【図７】従来の太刀魚テンヤの構成を示す図である。
【図８】従来の太刀魚テンヤに餌を取り付けた状態を示す平面図である。
【考案を実施するための形態】
【００１４】
以下、本考案の実施形態について太刀魚テンヤを例に図面を参照しながら説明する。
【００１５】
図１は、本考案の実施形態の太刀魚テンヤの構成を示す図である。
【００１６】
テンヤ１は、錘１０と釣り針１１とが一体化されて構成されている。ヘッド部材である錘１０が位置する側がテンヤ１の先端であり、錘１０から後方へ釣り針１１が延び出している。釣り針１１の軸には、餌を固定するためのエサ止め１２が針先の曲がる方向と反対方向へ垂直に設けられている。エサ止め１２は、１本のみでもよいし、２本ないし３本と並べて設けてもよい。また、針先の曲がる方向と同じ方向へ設けられていてもよい。
【００１７】
錘１０は、魚頭形状に構成されたヘッド部材であり、餌が取り付けられる側に凹部１３が形成され、この凹部１３内に頭部エサ止め１４が設けられている。また、錘１０にはハリスを接続するために環１５も設けられている。なお、錘１０は、環１５ではなくハリスを通す孔を開口して、錘１０が遊動するような接続方式にしてもよい。
【００１８】
凹部１３は、テンヤ１に取り付けられる餌の頭部の全体または一部を収容可能な深さに刳り込んで形成されている。
【００１９】
頭部エサ止め１４は、餌の頭部に突き刺して餌の頭部を固定する止め針であり、餌の胴体に突き刺すエサ止め１２よりも前方（錘側）に位置している。なお、ここでは凹部１３を形成しているため、凹部１３内に頭部エサ止め１４が設けられているが、凹部１３を形成しない場合には錘１０の餌が取り付けられる側の面、すなわち、錘１０の後側面に頭部エサ止め１４に相当するエサ止めを設ければよい。また、餌の胴体に突き刺すエサ止め１２よりも前方であれば、釣り針１１の軸上に、エサ止め１２側へ指向させて頭部エサ止め１４に相当するエサ止めを設けるとしてもよい。
【００２０】
このテンヤ１は、頭部エサ止め１４に餌の頭部を突き刺し、エサ止め１２の上から餌の胴体部分を押し刺してワイヤー線等で巻いて餌を固定して使用する。
【００２１】
図２は、太刀魚テンヤへの餌の取り付けを説明するための図である。
【００２２】
図２に示すように、まず餌２の頭部を頭部エサ止め１４に突き刺す。この後、エサ止め１２の上から餌２の胴体部分を押し刺す。エサ止め１２が複数本設けられている場合は、頭部エサ止め１４側のエサ止め１２から順に餌２の胴体部分を押し刺していく。そうすると、図３に示すように、餌２はテンヤ１に取り付けられ、ワイヤー線等で巻いて固定されて使用に供される。
【００２３】
図４は、太刀魚テンヤに餌を取り付けた状態を示す平面図である。
【００２４】
テンヤ１に固定された餌２は、頭部エサ止め１４によって頭部が固定されて左右にぶれることがなく、さらに、錘１０に設けられた凹部１３によっても左右の動きが規制されるので、水流によって餌２の姿勢とバランスとが悪化することがなく、水中で安定した状態を維持することができ、釣果の向上を図ることが可能となる。
【００２５】
図５は、太刀魚テンヤの別の構成を示す図である。
【００２６】
図５に示すテンヤ３は、錘２０の構成が上記のテンヤ１と異なる。すなわち、錘２０の凹部１３に設けられる頭部エサ止め２４が対向する２本の止め針で構成されている点が異なっている。このように、頭部エサ止め２４を２本の止め針が互いに錘２０の中心線に向かうように配置することで、餌２の頭部をより確実に固定することができ、水中における餌２をより安定した状態に保つことができる。
【００２７】
さらに、図６に示すような構成とすることもできる。
【００２８】
図６に示すテンヤ４の錘３０では、複数本の頭部エサ止め３４，頭部エサ止め３５は長さが異なる止め針となっている。頭部エサ止め３４と頭部エサ止め３５の長さを異ならせて、取り付けられる餌２の頭部に適したものとすることにより、餌２をさらに水中で安定した状態を維持することができる。なお、ここではエサ止め１２側の頭部エサ止め３５の長さを短くする例を示しているが、反対に頭部エサ止め３４を短くしてもよく、長さの調整は餌２の頭部に応じて適宜設定すればよい。
【００２９】
このように、本考案の実施形態の太刀魚テンヤによれば、餌の胴体に突き刺すエサ止めよりも前方に、餌の頭部に突き刺して頭部を固定する頭部エサ止めを備えるので、餌の姿勢とバランスが崩れることがなく、餌を水中で安定した状態に保つことができ、釣果の向上を図ることができる。また、ヘッド部材である錘の餌が取り付けられる側に凹部を備えるので、餌の頭部の左右への動きを規制し、より安定した状態を維持することができる。
【００３０】
以上、本考案に係る釣り具について、実施の形態に基づいて説明したが本考案はこれに限定されるものではなく、本考案の目的を達成でき、かつ考案の要旨を逸脱しない範囲内で種々設計変更が可能であり、それらも全て本考案の範囲内に包含されるものである。
【００３１】
例えば、上記実施の形態では、太刀魚テンヤを例に挙げて説明したが、錘に相当するヘッド素材と釣り針という組み合わせで構成されるものであれば、太刀魚テンヤに限られるものではなく、真鯛テンヤや鯛カブラ、ジグヘッド等でも適用可能である。
【００３２】
また、上記実施の形態では、餌の頭部を固定する頭部エサ止めの設置方向は餌の胴体に突き刺すエサ止め側を向いているものを図示しているが、餌の頭部を固定するものであれば設置方向は図示したものに限られず、例えば、餌の胴体に突き刺すエサ止めと平行に突き出るよう設置してもよいし、図示と反対方向（環のある方向）に向けて設置するようにしてもよい。
【産業上の利用可能性】
【００３３】
本考案は、太刀魚釣りや真鯛釣りに用いられるテンヤや鯛カブラ、ジグヘッド等に適用可能である。
【符号の説明】
【００３４】
１，３，４，１００  太刀魚テンヤ
２  餌
１０，２０，３０，１１０  錘
１１，１１１  釣り針
１２，１１２  エサ止め
１３  凹部
１４，２４，３４，３５  頭部エサ止め
１５，１１５  環
【図１】
0003212698.tif 000003
【図２】
0003212698.tif 000004
【図３】
0003212698.tif 000005
【図４】
0003212698.tif 000006
【図５】
0003212698.tif 000007
【図６】
0003212698.tif 000008
【図７】
0003212698.tif 000009
【図８】
0003212698.tif 000010